(57)【特許請求の範囲】
【請求項１】
カーポート、ガレージ、テラスまたはバルコニーの雨樋設置部近傍の傾斜した屋根材上に、屋根材を押さえ、かつ雨樋の上方の少なくとも一部を覆うように設置され、
屋根に積もる雪を雨樋の外へ導く傾斜面を有すると共に、
突端を雨樋の中間部に位置させた
ことを特徴とする落雪ガイドカバー。
【請求項２】
請求項１において、
前記落雪ガイドカバーと前記屋根材との間に雨水を通過させる隙間が形成される取付け構造を有する
ことを特徴とする落雪ガイドカバー。
【請求項３】
請求項１または２において、
落雪ガイドカバーの形状を、屋根面より上面および外側に膨出させた中空状とし、該中空部の上面を屋根に積もる雪を外へ導く傾斜面とした
ことを特徴とする落雪ガイドカバー。
【発明の詳細な説明】
【０００１】
【産業上の利用分野】
本発明は、カーポート、ガレージ、テラスまたはバルコニー等の屋根に設置される落雪ガイドカバーに関する。
【０００２】
【従来の技術】
カーポート、ガレージ、テラスまたはバルコニーに設置される屋根においては、通常、屋根の端に沿ってプラスチック成形材や金属板成形材等でなる雨樋が設置される。
【０００３】
【発明が解決しようとする課題】
しかしながら、このような雨樋を有するカーポート等を積雪のある寒冷地に設置すると、雨樋上に大量の雪が堆積することにより、雪の荷重で雨樋が変形したり、雪の凍結、膨張によって雨樋が破損する。このため、積雪のある寒冷地においては、カーポート等に雨樋を設けない場合が多い。このように、雨樋を設けないカーポート等においては、雨天の際に、屋根の端から大量の雨水が流下するという不具合がある。
【０００４】
本発明は、上記従来技術の問題点に鑑み、積雪による雨樋の変形、破損を防止し、積雪のある寒冷地においても雨樋が設置可能となる構造の落雪ガイドカバーを提供することを目的とする。
【０００５】
【課題を解決するための手段】
本発明の落雪ガイドカバーは、上記目的を達成するため、カーポート、ガレージ、テラスまたはバルコニーの雨樋設置部近傍の傾斜した屋根材上に、雨樋の上方の少なくとも一部を覆うように設置され、
屋根に積もる雪を雨樋の外へ導く傾斜面を有すると共に、
突端を雨樋の中間部に位置させた
ことを特徴とする。
【０００６】
【作用】
本発明において、傾斜面に沿って積もる雪は、雪の特性上、塊として落雪ガイドカバーの傾斜面に沿って雨樋の上面開口部を越え、雨樋の外部に導かれるので、雨樋内への積雪が防止される。また、落雪ガイドカバーが屋根材上に設置されるため、屋根材の外れが防止される。
【０００７】
【実施例】
以下本発明の一実施例を図面により説明する。図１は本発明のカーポートの一実施例の要部を示す縦断面図、図２は図１のＥ−Ｅ断面図、図３（Ａ）、（Ｂ）はそれぞれ本実施例を適用したカーポートの正面図および側面図である。図３（Ａ）、（Ｂ）に示すように、カーポートは、４本の柱１と、その上に載せる左右の桁２と、左右の桁２間を載せる構成材としてのアーチ材６と、屋根材１０とを主材として構成する。
【０００８】
図１に示すように、押出形材あるいは鋼鉄製の柱１と、押出形材からなる桁２とは、垂直部が柱１に溶接されたＴ字形の結合金具３の水平部をボルト４とナット５により桁２に締結することにより結合してなる。また、左右の桁２、２の上面の内側に形成したアーチ取付け溝２ａに、押出形材からなる複数本の円弧状をなすアーチ材６の両端をそれぞれ嵌め、結合金具７とねじ８によって桁２とアーチ材６とを結合して骨組を構成する。
【０００９】
図１、図２に示すように、アーチ材６の上面の両側にはビート９を嵌め、アクリル樹脂等でなる複数枚の屋根材１０を、左右のアーチ材６間を塞ぐように、各屋根材１０の両側を各ビート９に載せ、かつ各屋根材１０の下端部を、前記アーチ取付け溝２ａ内に入れる。そして、押出形材からなるアーチカバー１１の両側を、緩衝材１２を介して左右の屋根材１０の対面部に跨がるように載せ、ねじ１３によりアーチカバー１１をアーチ材６に結合することにより、屋根材１０を固定する。
【００１０】
図１に示すように、前記桁２の上面の外側には雨樋２ｂが形成される。１４は本発明により設けた押出形材からなる落雪ガイドカバーであり、該落雪ガイドカバー１４は屋根の全長、すなわち雨樋２ｂとほぼ同じ長さを有し、雨樋２ｂ設置部近傍の屋根材１０の傾斜面１５上に、雨樋２ｂの上方の少なくとも一部を覆うように、ねじ１３によりアーチカバー１１と共にアーチ材６に固定して取付けられる。
【００１１】
本実施例においては、落雪ガイドカバー１４の形状を、屋根面より上面および外側に膨出させた中空状とし、該中空部の上面を屋根に積もる雪を外へ導く傾斜面１４ｂとし、また、該落雪ガイドカバー１４の突端１４ａが、雨樋２ｂの内外方向のほぼ中間部にあり、落雪ガイドカバー１４上の傾斜面１４ｂの延長線１６が、雨樋２ｂの外側の頂部ａより上となるように設定している。また、落雪ガイドカバー１４と屋根材１０との間に雨水を通過させる隙間ｇを形成している。
【００１２】
このように、落雪ガイドカバー１４を取付ければ、図１に示すように、落雪ガイドカバー１４の突端１４ａが雨樋２ｂの中間部上にあると言えども、傾斜面１４ｂの延長線１６が雨樋２ｂの外側の頂部ａよりも上にあることから、雪１７は、その特性上、傾斜面１４ｂから次第に下がった状態となって積もり、雨樋２ｂ内に積もらない。また、雪１７が滑落する場合も、傾斜面１４ｂにより雪１７が雨樋２ｂの外側の頂部ａよりも外側に滑落するため、雨樋２ｂ内に雪１７が積もることがない。従って、雪１７の荷重が雨樋２ｂにかかることによって起こる雨樋２ｂの変形が防止され、また、雪の凍結、膨張による雨樋２ｂの破損が防止される。
【００１３】
また、通常の雨の場合には、落雪ガイドカバー１４と屋根材１０との間の隙間ｇを通して矢印ｂで示すように雨樋２ｂ内に雨水が流下するので、落雪ガイドカバー１４が雨水の流下を妨げることはない。また、仮に大雨が降ったとしても、落雪ガイドカバー１４は突端１４ａが雨樋２ｂの中間部の上にあるため、雨水の一部で落雪ガイドカバー１４を越える雨水は、矢印ｃで示すように、雨樋２ｂ内に流下し、雨樋２ｂから逸れることがない。また、落雪ガイドカバー１４の突端１４ａが雨樋２ｂの中間部に位置する構造とすることにより、雨樋２ｂ全体を落雪ガイドカバー１４で覆う構造に比較して落雪ガイドカバー１４が小型ですみ、落雪ガイドカバー１４を廉価に提供できる。また、落雪ガイドカバー１４が屋根材１０上に設置されるため、屋根材１０の下側から風圧がかかって屋根材１０が浮き上がろうとしても、落雪ガイドカバー１４により阻まれるので、屋根材１０の外れが防止される。
【００１４】
また、落雪ガイドカバー１４を中空状に形成したので、押出形材の断面係数が大きくなり、雪の重量に対し、耐荷重が向上し、かつ風圧等の屋根の下からの吹上げに対する強度も増大する。また、落雪ガイドカバー１４の膨出中空部の上面に傾斜面１４ｂを形成したので、傾斜面１４ｂが滑らかとなり、雪の滑りがスムーズとなる。なお、傾斜面１４ｂをアール面として形成してもよい。
【００１５】
本発明は、上記例のように、側面に壁のないカーポートのみではなく、壁のあるカーポートやガレージあるいはベランダやバルコニーの屋根にも適用できる。また、本発明において、雨樋２ｂは桁２とは別部材により構成する等、雨樋２ｂあるいは落雪ガイドカバー１４の形状や取付け構造は種々に変更することができる。
【００１６】
【発明の効果】
請求項１によれば、屋根の雨樋設置部近傍の傾斜面上に、雨樋の上方の少なくとも一部を覆うように、屋根に積もる雪を雨樋の外へ導く落雪ガイドカバーを設けたので、雪が雨樋に積もって雨樋を変形させたり、あるいは凍結、膨張により雨樋を破損させるおそれがなくなり、積雪のある寒冷地においても、雪のない地方で用いられる一般的な雨樋を有する屋根を使用することができる。また、屋根に落雪ガイドカバーを後付けすることにより、積雪時における雨樋の変形、破損を防止できる。また、落雪ガイドカバーが屋根材上に設置されるため、屋根材の下側から風圧がかかって屋根材が浮き上がろうとしても、落雪ガイドカバーにより阻まれるので、屋根材の外れが防止される。
また、落雪ガイドカバーの突端を雨樋の中間部に位置させたので、大雨の際に、落雪ガイドカバーを越える一部の雨水が雨樋から逸れて雨樋の外に流下することがない。また、落雪ガイドカバーが小型ですみ、廉価に提供できる。
【００１７】
請求項２によれば、落雪ガイドカバーと屋根材との間に雨水を通過させる隙間を形成したので、通常の雨天時においても、落雪ガイドカバーが雨水流下の邪魔になることがない。
【００１９】
請求項３によれば、落雪ガイドカバーを中空状に形成したので、押出形材の断面係数が大きくなり、雪の重量に対し、耐荷重が向上し、かつ風圧等の屋根の下からの吹上げに対する強度も増大する。また、落雪ガイドカバーの膨出中空部の上面に傾斜面を形成したので、傾斜面が滑らかとなり、雪の滑りがスムーズとなる。
【図面の簡単な説明】
【図１】本発明による落雪ガイドカバーの一実施例を取付け状態で示す縦断面図である。
【図２】図１のＥ−Ｅ断面図である。
【図３】（Ａ）、（Ｂ）はそれぞれ本実施例を適用したカーポートの正面図および側面図である。
【符号の説明】
１：柱、２：桁、２ｂ：雨樋、３：結合金具、６：アーチ材、７：結合金具、９：ビート、１０：屋根材、１１：アーチカバー、１２：緩衝材、１４：落雪ガイドカバー、１４ａ：突端、１４ｂ：傾斜面、１５：傾斜面、１７：雪、ｇ：隙間
【図１】
0003610118.tif 000002
【図２】
0003610118.tif 000003
【図３】
0003610118.tif 000004